(57)【要約】【課題】炎のように光が揺れ動く視覚効果を発することができるＬＥＤランプを提供する。【解決手段】陰極フレーム１と、陽極フレーム２と、第一チップ３および第二チップ４と、燦爛ＩＣチップ５と樹脂６とによって構成され、前記陰極フレーム１は、陰極リード１０を具有し、前記陰極リード１０はマイナス極の電源と接続されており、前記陽極フレーム２は、陽極リード２０を具有し、前記陽極リード２０はプラス極の電源と接続されており、前記第一チップ３および第二チップ４は、前記陰極フレーム１上に設置されており、且つ前記第一チップ３は第一ワイヤ３０によって陽極フレーム２と繋がっており、前記燦爛ＩＣチップ５は、前記陽極フレーム２上に設置されており、且つ前記燦爛ＩＣチップ５はまた第二ワイヤ５０および第三ワイヤ５１によってそれぞれ別々に陰極フレーム１および第二チップ４と繋がっている。通電時、前記第一チップ３は恒常的に光る光を生成し、前記第二チップ４は燦爛ＩＣチップ５の作用によりきらきらと光る光を生成するので、全体から光が炎のように揺れ動く視覚効果が発せられる。【選択図】図１
2005285953.tif 000002
【特許請求の範囲】
【請求項１】
炎のように光るＬＥＤランプであり
陰極フレームと、陽極フレームと、第一チップおよび第二チップと、燦爛ＩＣチップと、樹脂とによって構成されており、
前記陰極フレームは、端部から陰極リードが伸びており、前記陰極リードはマイナス極の電源と接続されており、
前記陽極フレームは、端部から陽極リードが伸びており、前記陽極リードはプラス極の電源と接続されており、
前記第一チップおよび第二チップは、前記陰極フレーム上に設置されており、且つ前記第一チップは第一ワイヤによって陽極フレームと繋がっており、
前記燦爛ＩＣチップは、前記陽極フレーム上に設置されており、且つ前記燦爛ＩＣチップはまた第二ワイヤおよび第三ワイヤによってそれぞれ別々に陰極フレームおよび第二チップと繋がっており、
前記樹脂は、陰極フレームと陽極フレームと第一チップと第二チップと燦爛ＩＣチップの外部を覆い包んでいる
ことを特徴とする炎のように光るＬＥＤランプ。
【請求項２】
炎のように光るＬＥＤランプであり
陰極フレームと、陽極フレームと、第一チップおよび第二チップと、燦爛ＩＣチップと、樹脂とによって構成されており、
前記陰極フレームは、端部から陰極リードが伸びており、前記陰極リードはマイナス極の電源と接続されており、
前記陽極フレームは、端部から陽極リードが伸びており、前記陽極リードはプラス極の電源と接続されており、
前記第一チップおよび第二チップは、前記陰極フレーム上に設置されており、且つ前記第一チップは第一ワイヤによって陽極フレームと繋がっており、
前記燦爛ＩＣチップは、前記陽極フレーム上に設置されており、且つ前記燦爛ＩＣチップはまた第二ワイヤおよび第三ワイヤによってそれぞれ別々に陰極フレームおよび第二チップと繋がっており、
前記樹脂は、陰極フレームと陽極フレームと第一チップと第二チップと燦爛ＩＣチップの外部を覆い包んでおり、さらに前記樹脂の上半部は尖った円錐形を呈しており、且つ前記樹脂の周縁部には複数の垂直な尖状歯部が設けられている
ことを特徴とする炎のように光るＬＥＤランプ。
【請求項３】
前記樹脂の周縁部は多角の星形を形成していることを特徴とする請求項２に記載の炎のように光るＬＥＤランプ。
【請求項４】
前記燦爛ＩＣチップ内部の電気回路は、非安定マルチバイブレータであることを特徴とする請求項２に記載の炎のように光るＬＥＤランプ。
【請求項５】
前記燦爛ＩＣチップの電気回路は非安定マルチバイブレータであり、その周波数は８〜１８Hz／秒であることを特徴とする請求項４に記載の炎のように光るＬＥＤランプ。
【発明の詳細な説明】
【技術分野】
【０００１】
本発明はＬＥＤランプの構造の新たな設計に係り、特に炎のように揺らめく視覚効果を発することができるＬＥＤランプに関わる。
【背景技術】
【０００２】
エジソンの電球の発明は、全世界に明るい光をもたらし、伝統的な蝋燭、ランプ、たいまつ等の照明手段はそれに取って代わられ、人類の生活は大きく改善された。一般の電球は主に電流をタングステン線に流すことによって光を生成するもので、伝統的な照明手段ではあるが、比較的優れた安全性、使用方法、および比較的高い照度光度を具有しており、各種の照明道具上に適用するものである。しかし、電球は蝋燭、ランプ、たいまつ等の照明手段のような揺れ動く炎を生成することはできず、そのために人に炎のように光が揺れ動く視覚効果を与えることができない。この光が揺れ動く視覚上の効果は人に神秘さ、神聖さ、ロマンチックさ、喜び等の雰囲気を与えることができるために、多くの人が祝典、お祭り、教会、レストラン、冠婚葬祭などの特定の場合においては蝋燭、ランプ、たいまつ等を使用している。しかも電球は温度が高くなり、電気をよく使い、寿命が短いという欠点がある。
【０００３】
現在、世界各国が研究に力を注ぎ、ＬＥＤ（Light Emitting Diode）を発展させ、前述の電灯が具有する温度が高い、電気をよく使う、寿命が短いなどの欠点は改善され、何年もの研究と発展により、前記のＬＥＤは各種の電気製品、看板、通信製品、電灯に応用され、人類の生活と切り離すことができない程度である。しかし、現在のＬＥＤランプの多くは、単純な点灯、消灯、およびきらきらと光る機能だけであり、さらに点灯時、単純に特定の光度によって点灯するだけで、そのために伝統的な照明手段が生成するような炎を生成し、揺れ動く光によって、人々に和やかさ、暖かさ、多彩な変化、情熱的な気持ちを与えたり、神秘さ、神聖さ、ロマンチックさ、喜び等の雰囲気を与えたりすることはできない。
【０００４】
前記公知構造の炎のように揺れ動く光を生成できないという欠点を解決するために本発明の発明者は研究と改良を重ね、長年の努力の結果、本発明を発明した。
【発明の開示】
【発明が解決しようとする課題】
【０００５】
本発明の主な目的は、炎のように光が揺れ動く視覚効果を発することができるＬＥＤランプを提供することである。
【課題を解決するための手段】
【０００６】
前記課題を解決するために、本発明は、
炎のように光るＬＥＤランプに関わり、
陰極フレームと、陽極フレームと、第一チップおよび第二チップと、燦爛ＩＣチップと、樹脂とによって構成されており、
前記陰極フレームは、端部から陰極リードが伸びており、前記陰極リードはマイナス極の電源と接続されており、
前記陽極フレームは、端部から陽極リードが伸びており、前記陽極リードはプラス極の電源と接続されており、
前記第一チップおよび第二チップは、前記陰極フレーム上に設置されており、且つ前記第一チップは第一ワイヤによって陽極フレームと繋がっており、
前記燦爛ＩＣチップは、前記陽極フレーム上に設置されており、且つ前記燦爛ＩＣチップはまた第二ワイヤおよび第三ワイヤによってそれぞれ別々に陰極フレームおよび第二チップと繋がっており、
前記樹脂は、陰極フレームと陽極フレームと第一チップと第二チップと燦爛ＩＣチップの外部を覆い包んでいる。  
【０００７】
通電時、前記第一チップは恒常的に光を生成し、前記第二チップは燦爛ＩＣチップの作用によりきらきらと光る光を生成し、二者が合わさることにより全体が、光が炎のように揺れ動く視覚効果を発することができる。
【発明の効果】
【０００８】
本発明のＬＥＤランプは通電時、前記第一チップは恒常的に光る光を生成し、前記第二チップは燦爛ＩＣチップの作用によりきらきらと光る光を生成するので、全体から光が炎のように揺れ動く視覚効果が発せられており、伝統的な炎のように神秘さ、神聖さ、ロマンチックさ、喜び等の雰囲気を醸し出すことができるために、祝典、お祭り、教会、レストラン、冠婚葬祭などの特定の場合に使用することができ、本発明のＬＥＤランプは、伝統的な照明手段と比較して、比較的優れた安全性、使用方法、および比較的高い照度光度等の効果を具有するだけでなく、公知の電灯と比較して、温度が低い、使用電力が少ない、寿命が長い等の効果も具有する。
【発明を実施するための最良の形態】
【０００９】
図１，２，３，４に示すように、本発明は、炎のように光るＬＥＤランプであり
陰極フレーム１と、陽極フレーム２と、第一チップ３および第二チップ４と、燦爛ＩＣチップ５と樹脂６とによって構成されており、
前記陰極フレーム１は、端部から陰極リード１０が伸びており、前記陰極リード１０はマイナス極の電源と接続されており、
前記陽極フレーム２は、端部から陽極リード２０が伸びており、前記陽極リード２０はプラス極の電源と接続されており、
前記第一チップ３および第二チップ４は、前記陰極フレーム１上に設置されており、且つ前記第一チップ３は第一ワイヤ３０によって陽極フレーム２と繋がっており、
前記燦爛ＩＣチップ５は、前記陽極フレーム２上に設置されており、且つ前記燦爛ＩＣチップ５はまた第二ワイヤ５０および第三ワイヤ５１によってそれぞれ別々に陰極フレーム１および第二チップ４と繋がっており、
前記樹脂６は、陰極フレーム１と陽極フレーム２と第一チップ３と第二チップ４と燦爛ＩＣチップ５の外部を覆い包んでおり、さらに前記樹脂６の上半部は尖った円錐形を呈しており、且つ前記樹脂６の周縁部には複数の垂直な尖状歯部６０が設けられており、それにより前記樹脂の周縁部は多角の星形を形成し、発光する光の屈折効果を増加させることができる。
【００１０】
図３，４，５，６に示すように、陽極リード２０、および陰極リード１０にそれぞれ正、負の電源を送る時、第一チップ３は第一ワイヤを経由して電源と回路を形成し、恒常的に点灯する状況を生成し、前記第二チップ４は第二ワイヤ５０、燦爛ＩＣチップ５、第三ワイヤ５１を経由して電源と回路を形成し、きらきらと光る光を生成し、このように二者が合わさることにより炎が揺れ動くような急に明るくなったり暗くなったりする光が生成され、前記光は樹脂６周縁の尖状歯部６０の屈折作用によってさらにはっきりとした効果を得ることができる。
【００１１】
本発明のＬＥＤランプは通電時、前記第一チップ３は恒常的に光る光を生成し、前記第二チップ４は燦爛ＩＣチップ５の作用によりきらきらと光る光を生成するので、全体から光が炎のように揺れ動く視覚効果が発せられており、伝統的な炎のように神秘さ、神聖さ、ロマンチックさ、喜び等の雰囲気を醸し出すことができるために、祝典、お祭り、教会、レストラン、冠婚葬祭などの特定の場合に使用することができ、本発明のＬＥＤランプは、伝統的な照明手段と比較して、比較的優れた安全性、使用方法、および比較的高い照度光度等の効果を具有するだけでなく、公知の電灯と比較して、温度が低い、使用電力が少ない、寿命が長い等の効果も具有する。
【００１２】
本発明のＬＥＤランプが点灯している時、第二チップ４は燦爛ＩＣチップ５の作用によりきらきらと光る光を生成し、そのために目に刺激を与えるような光ではなく、柔らかな光を発し、そのために信号灯や車のランプ上などにも適用することができ、長い時間その光を見たために目が疲れてしまうということはない。
【００１３】
本発明は産業上の利用性と進歩性を具有しており、且つ同様の製品においては未だ類似した製品、或いは発表は無く、新規性を具有しており、ゆえに本発明は、発明特許の申請要件に符号するものである。上述の内容は本発明の比較的好適な実施例であり、本発明の実施の範囲を限定することはできなく、本発明の特許申請範囲に基づく全ての変更、修飾は本発明の特許範囲に属するものである。
【図面の簡単な説明】
【００１４】
【図１】本発明の立体分解図である。
【図２】本発明の立体外観図である。
【図３】本発明の上面図である。
【図４】本発明のチップと線の位置関係を示す図である。
【図５】本発明の断面図である。
【図６】本発明の電気回路図である。
【符号の説明】
【００１５】
１    陰極フレーム
１０  陰極リード
２    陽極フレーム
２０  陽極リード
３    第一チップ
３０  第一ワイヤ
４    第二チップ
５    燦爛ＩＣチップ
５０  第二ワイヤ
５１  第三ワイヤ
６    樹脂
６０  尖状歯部
【図１】
2005285953.tif 000003
【図２】
2005285953.tif 000004
【図３】
2005285953.tif 000005
【図４】
2005285953.tif 000006
【図５】
2005285953.tif 000007
【図６】
2005285953.tif 000008